(57)【要約】【課題】  インプラント体を埋入する埋入孔の角度を、穿孔時に比較的容易に修正できるようにした歯科用バー（穿孔具）を提供する。【解決手段】  歯科用バーは、一方端側に切削部１１が形成され、他方端側に支持部１２が形成された棒状体であり、切削部１１の先端が先丸状に形成されると共に、切削部１１の表面にはダイヤモンド粒子が付与され、切削部１１と支持部１２との間に括れ部１３が設けられた構造である。【選択図】  図２
2006141439.tif 000002
【特許請求の範囲】
【請求項１】
一方端側に切削部が形成され、他方端側が支持部となる棒状の歯科用バーにおいて、
前記切削部は所定半径の球形状に形成されると共に、前記切削部の表面にダイヤモンド粒子が付与され、前記切削部と前記支持部との間に括れ部が設けられることを特徴とする歯科用バー。
【請求項２】
一方端側に切削部が形成され、他方端側が支持部となる棒状の歯科用バーにおいて、
前記切削部は先端部に向かって漸次幅細となるテーパ形状であって前記先端部が先丸状に形成されると共に、前記切削部の表面にダイヤモンド粒子が付与され、前記切削部と前記支持部との間に括れ部が設けられることを特徴とする歯科用バー。
【請求項３】
前記切削部における前記支持部側の端部位置近傍表面に、前記ダイヤモンド粒子を付与する部分と付与しない部分とを、前記切削部の長手方向に沿って交互にリング状に配置してなる請求項２記載の歯科用バー。
【請求項４】
表面にダイヤモンド粒子の付与された球体を先端部に備えた第１の歯科用バーと、
先端部が球状に形成されたテーパ部の表面にダイヤモンド粒子が付与された切削部を備える第２の歯科用バーと、
先端部が球状に形成され、前記第２の歯科用バーにおけるテーパ部の傾斜よりも緩やかな傾斜として形成されたテーパ部の表面にダイヤモンド粒子が付与された切削部を備える第３の歯科用バーと、
を用いてインプラント体を埋入するための埋入孔を穿孔する方法であって、
顎骨の埋入孔形成予定位置に対して、前記第１の歯科用バー、前記第２の歯科用バー及び前記第３の歯科用バーをこの順に用いて前記埋入孔の初期穿孔を行うことを特徴とする穿孔方法。
【発明の詳細な説明】
【技術分野】
【０００１】
本発明は、歯科治療において歯牙欠如の修復のためのインプラント法で用いられる歯科用バーに関する。
【背景技術】
【０００２】
従来、歯科治療において歯牙欠如の場合の修復方法としてインプラント法が知られており、この手法によれば、顎骨の歯牙欠如部分を穿孔して埋入孔を形成し、その埋入孔にインプラント体を埋入させ、顎骨から露出するインプラント体上部に人工歯牙等の上部構造を取り付けて修復がなされる。この場合、インプラント体を埋設する位置、深度、角度が、その上部に装着される上部構造の機能や審美性に大きく影響することが知られている。
【０００３】
ところが、従来の穿孔方法では穿孔初期の段階からツイストドリルを使用して埋入孔を形成するため、穿孔作業の途中で埋入孔の角度を修正することが困難であるという問題があった。
【０００４】
また、従来は、埋入孔の深度を確認する際、深度測定専用のデプスゲージを使用する必要があり、ツイストドリルとデプスゲージとを逐次交換しながら、深度確認を行いつつ穿孔作業を進めなければならないという問題があった。
【発明の開示】
【発明が解決しようとする課題】
【０００５】
本発明は、上記従来の問題点を解決することを目的としてなされたものであり、埋入孔の角度を比較的容易に修正できるようにした歯科用バーを提供すると共に、その歯科用バーを用いて確実かつ安全に埋入孔を形成する穿孔方法を提供するものである。
【課題を解決するための手段】
【０００６】
本発明に係る第１の歯科用バーは、一方端側に切削部が形成され、他方端側が支持部となる棒状の歯科用バーとして構成されるものであり、前記切削部が所定半径の球形状に形成されると共に、前記切削部の表面にダイヤモンド粒子が付与され、前記切削部と前記支持部との間に括れ部が設けられてなることを特徴とするものである。
【０００７】
また、本発明に係る第２の歯科用バーは、一方端側に切削部が形成され、他方端側が支持部となる棒状の歯科用バーとして構成されるものであり、前記切削部が先端部に向かって漸次幅細となるテーパ形状であって前記先端部が先丸状に形成されると共に、前記切削部の表面にダイヤモンド粒子が付与され、前記切削部と前記支持部との間に括れ部が設けられてなることを特徴とするものである。
【０００８】
また、より具体的な一構成例として、上記第２の歯科用バーにおいては、前記切削部における前記支持部側の端部位置近傍表面に、前記ダイヤモンド粒子を付与する部分と付与しない部分とを、前記切削部の長手方向に沿って交互にリング状に配置することが好ましい。
【０００９】
また本発明に係る穿孔方法は、表面にダイヤモンド粒子の付与された球体を先端部に備えた第１の歯科用バーと、先端部が球状に形成されたテーパ部の表面にダイヤモンド粒子が付与された切削部を備える第２の歯科用バーと、先端部が球状に形成され、前記第２の歯科用バーにおけるテーパ部の傾斜よりも緩やかな傾斜として形成されたテーパ部の表面にダイヤモンド粒子が付与された切削部を備える第３の歯科用バーと、を用いてインプラント体を埋入する埋入孔を穿孔するためのものであって、顎骨の埋入孔形成予定位置に対して、前記第１の歯科用バー、前記第２の歯科用バー及び前記第３の歯科用バーをこの順に用いて前記埋入孔の初期穿孔を行うことを特徴とするものである。
【発明の効果】
【００１０】
本発明に係る歯科用バーによれば、切削部表面に付与されたダイヤモンド粒子が切削機能を有するので、穿孔される埋入孔の底部だけでなく、側面部も切削することができる。それ故、埋入孔の角度を比較的容易に修正できると共に、括れ部に水流を形成させて穿孔時の骨の過熱を防止できる。また、括れ部を穿孔時の深度の目安にすることも可能になる。
【００１１】
また、切削部を、先端部に向かうに従って漸次幅細となるテーパ状に形成することにより、歯科用バーの穿孔機能を損なうことなく、埋入孔側面の切削効果を向上することができ、埋入孔の角度をより簡単に修正できるようになる。
【００１２】
また、切削部における支持部側の端部位置近傍表面に、ダイヤモンド粒子を付与する部分と付与しない部分とを、切削部の長手方向に沿って交互にリング状に配置することにより、そのリング状部分を穿孔時の深度の目安にできる。また、ダイヤモンド粒子が付与されない部分は括れ部となって穿孔時の水流を貯留し、骨の過熱をさらに良好に防止できるようになる。
【００１３】
さらに、本発明に係る穿孔方法によれば、第１乃至第３の歯科用バーを使用した後にツイストドリルが使用されて穿孔が行われるので、容易に埋入孔の角度を修正しつつ、確実かつ安全に埋入孔を形成できるようになる。
【発明を実施するための最良の形態】
【００１４】
以下図面に基づいて本発明の好ましい実施形態を詳述する。
【００１５】
図１乃至図３はそれぞれ本発明に係る歯科用バーの一例を示す図である。歯科治療におけるインプラント法においては、インプラント体を埋入するための埋入孔を形成するために様々な種類の歯科用バーが使用される。図１乃至図３のそれぞれに示す歯科用バーはそれら多様な歯科用バーのひとつを示すものであり、それぞれ一方端側に顎骨を切削する切削部１１が形成され、他方端側に回転装置への装着部分となる支持部１２が形成された棒状の穿孔具である。
【００１６】
また、図１乃至図３のそれぞれに示す歯科用バーは、例えばステンレススチール等を母材とし、切削部１１の先端部が先丸形状に形成されるものである。そして切削部１１の母材表面にダイヤモンド粒子が付与されると共に、切削部１１と支持部１２との間に括れ部１３が設けられた構造となっている。
【００１７】
穿孔作業を行う時には、支持部１２を回転装置に装着して棒状部材の中心軸を回転軸として穿孔具を回転させることにより、切削部１１の先端のみならず、回転側面となる外周部でも顎骨を切削できるようになる。また、括れ部１３は切削穿孔時の深度の目安としての役目を果たすと共に、水流を貯留する役目を果たす。このため、穿孔作業時には、デプスゲージを使用することなく埋入孔の深度を把握できると共に、切削部分の骨の加熱を防ぐ効果を奏するものである。
【００１８】
以下、各歯科用バーの具体的構造について説明する。
【００１９】
図１は、本実施形態における歯科用バーの一例を示す図であり、（Ａ）はその平面図を、（Ｂ）は（Ａ）におけるＩ-Ｉ断面図を、（Ｃ）は切削部１１側からみた側面図を、（Ｄ）は支持部１２側からみた側面図を示している。
【００２０】
図１に示される歯科用バー１は、切削部１１が球体状に形成された球体２１を有すると共に、その球体２１の表面がダイヤモンド粒子９によってコーティングされた構造を有している。この歯科用バー１では、例えば切削部１１の先端部から支持部１２の端部までの全長が２７ｍｍ程度であり、球体２１が直径１．５ｍｍ程度となっている。また括れ部１３は、比較的急峻な傾斜を有する第１のテーパ部２２と、比較的緩やかな傾斜で球体２１に連結される第２のテーパ部２３とを有し、第１のテーパ部２２は１ｍｍ程度、第２のテーパ部２３は５ｍｍ程度の長さに形成されており、第１と第２のテーパ部２２，２３の連結部分の太さは直径１．０ｍｍ程度であり、第２のテーパ部２３と球体２１との連結部分の太さは直径０．７ｍｍ程度である。
【００２１】
このような歯科用バー１を用いて顎骨の歯牙欠如部分に穿孔を行うと、切削部１１の先端のみならず、切削部１１として設けられた球体２１の回転側面部でも切削効果が得られるので、穿孔作業の途中であっても埋入孔の角度調整を容易に行うことができるようになる。また、括れ部１３に設けられる第１のテーパ部２２の両端部分は穿孔時の深度の目安になると共に、穿孔時に供給される水流が括れ部１３に入り込んで骨の加熱を防止するので、顎骨の歯牙欠如部分に対して確実かつ安全に埋入孔を形成することができる。
【００２２】
図２は、本実施形態における歯科用バーの他の例であって図１とは異なる構造のものを示す図であり、（Ａ）はその平面図を、（Ｂ）は（Ａ）におけるＩＩ-ＩＩ断面図を、（Ｃ）は切削部１１側からみた側面図を、（Ｄ）は支持部１２側からみた側面図を示している。
【００２３】
図２に示される歯科用バー２は、切削部１１に、その先端部２５が先丸状に形成されると共にその先端部２５に向かって漸次幅細となるテーパ部２６と、括れ部１３に連結して形成されるリング部２８とを備え、テーパ部２６とリング部２８との間に第２の括れ部２７が形成された構造を有し、先端部２５を含むテーパ部２６及びリング部２８の双方がダイヤモンド粒子９によってコーティングされたものである。したがって、図２の歯科用バー２は、切削部１１における支持部１２側の端部位置近傍表面に、ダイヤモンド粒子９を付与する部分と付与しない部分とを、切削部１１の長手方向に沿って交互にリング状に配置した構造となっている。
【００２４】
この歯科用バー２は、例えば球状の先端部２５を除き、切削部１１の先端部から支持部１２の端部までの長さが２７ｍｍ程度である。また、球状の先端部２５を除いて切削部１１の長さが約９．６ｍｍに形成され、そのうちテーパ部２６の長さが約８．１ｍｍ、括れ部２７が約１ｍｍ、リング部２８が約０．５ｍｍとなっている。また、テーパ部２６の幅広部分の太さは直径１．６ｍｍ程度であり、先端部２５の球状部分（先丸部分）は直径０．７ｍｍ程度である。さらに括れ部１３の長さは約１ｍｍとなっている。
【００２５】
このような歯科用バー２を用いて顎骨の歯牙欠如部分に穿孔を行うと、切削部１１として設けられたテーパ部２６の先端部２５のみならず、テーパ部２６の側面部でも切削効果が得られるので、穿孔作業の途中であっても埋入孔の角度調整を容易に行うことができるようになる。また、括れ部１３，２７の両端部やリング部２８は穿孔時の深度の目安になると共に、各括れ部１３，２７は穿孔時に供給される水流を貯留して骨の加熱を防止するので、顎骨の歯牙欠如部分に対して確実かつ安全に埋入孔を形成することができる。
【００２６】
図３は、本実施形態における歯科用バーの更なる他の例を示す図であり、（Ａ）はその平面図を、（Ｂ）は（Ａ）におけるＩＩＩ-ＩＩＩ断面図を、（Ｃ）は切削部１１側からみた側面図を、（Ｄ）は支持部１２側からみた側面図を示している。
【００２７】
図３の歯科用バー３は、図２の歯科用バー２とほぼ同様の構造を有している。すなわち、歯科用バー３は、切削部１１に、その先端部３１が先丸状に形成されると共にその先端部３１に向かって漸次幅細となるテーパ部３２と、括れ部１３に連結して形成されるリング部３４とを備え、テーパ部３２とリング部３４との間に第２の括れ部３３が形成された構造を有し、先端部３１を含むテーパ部３２及びリング部３４の双方がダイヤモンド粒子９によってコーティングされたものである。したがって、図３の歯科用バー３もまた、切削部１１における支持部１２側の端部位置近傍表面に、ダイヤモンド粒子９を付与する部分と付与しない部分とを、切削部１１の長手方向に沿って交互にリング状に配置した構造となっている。
【００２８】
歯科用バー３におけるテーパ部３２の幅広部分の太さは直径２ｍｍ程度であり、先端部３１の球状部分（先丸部分）は直径１．６ｍｍ程度である。そのため、この歯科用バー３は、図２の歯科用バー２と比較した場合、テーパ部３２の傾斜が図２のテーパ部２６の傾斜よりも緩やかであり、ほぼ円筒状の切削部１１を形成している。このことから、図３の歯科用バー３は、図２の歯科用バー２に比べ、円筒状に近い埋入孔を形成するのにより適した穿孔具となる。
【００２９】
このような歯科用バー３を用いて顎骨の歯牙欠如部分に穿孔を行うと、切削部１１として設けられたテーパ部３２の先端部３１のみならず、テーパ部３２の側面部でも切削効果が得られるので、穿孔作業の途中であっても埋入孔の角度調整を容易に行うことができるようになる。また、括れ部１３，３３の両端部やリング部３４は穿孔時の深度の目安になると共に、各括れ部１３，３３は穿孔時に供給される水流を貯留して骨の加熱を防止するので、顎骨の歯牙欠如部分に対して確実かつ安全に埋入孔を形成することができる。
【００３０】
上記のような歯科用バー１，２，３を用いてインプラント体を埋入するための埋入孔を形成する場合のひとつの手順を例示すると次のようになる。最初に、図１の歯科用バー１を用いて埋入孔形成予定位置に初期穿孔し、その後、初期穿孔された埋入孔に対し、図２の歯科用バー２を用いてインプラント体を埋入するのに必要な深度の孔を穿孔し、さらにその後、図３の歯科用バー３を用いて埋入孔の広さが広げられる。なお、穿孔作業中は常に、穿孔部に対して冷却用水が供給される。このような手順において、特に歯科用バー２，３を用いて必要な深度の埋入孔を形成する際、括れ部１３が深度の目安となるので、デプスゲージを別途用いることなく、確実に必要な深度の埋入孔を形成できる。また、ダイヤモンド粒子９で埋入孔の側面を切削できるので、穿孔途中でも比較的容易に埋入孔の角度を修正できるようになっている。
【００３１】
そして上記のように歯科用バー１，２，３を使用して埋入孔を形成した後、従来の直径の太いツイストドリルを順次使用して埋入孔をインプラント体に適した形状に整備していくことになる。例えば、最終的には直径３ｍｍ〜５ｍｍ程度のツイストドリルが使用される。
【００３２】
このように本実施形態における各歯科用バー１，２，３は、従来のツイストドリルが使用される前の初期段階で使用される穿孔具であり、穿孔初期段階で埋入孔の角度を容易に修正できるようになる。
【００３３】
なお、本実施形態の各歯科用バー１，２，３を使用すると、ダイヤモンド粒子９が骨内に遊離する可能性があるが、上述のように歯科用バー１，２，３を使用した後に従来の径の太いツイストドリルを使用して穿孔が行われるので、骨内に残留するダイヤモンド粒子はこのツイストドリル使用時に確実に骨内から除去されるようになる。したがって、上述した穿孔手順を行うことにより、骨内にダイヤモンド粒子が残留することを抑制できるようになる。
【００３４】
以上のように本実施形態の各歯科用バー１，２，３は、穿孔作業中に埋入孔の角度を比較的容易に修正できるようにしたものであり、確実かつ安全に埋入孔を形成できるようにしたものである。
【図面の簡単な説明】
【００３５】
【図１】本発明に係る歯科用バーの一例を示す図である。
【図２】本発明に係る歯科用バーの一例であって図１のものとは異なる例を示す図である。
【図３】本発明に係る歯科用バーの一例であって図１及び図２のものとは異なる例を示す図である。
【符号の説明】
【００３６】
１，２，３  歯科用バー（穿孔具）
９  ダイヤモンド粒子
１１  切削部
１２  支持部
１３  括れ部
２１  球体
２２  テーパ部
２３  テーパ部
２５  先端部
２６  テーパ部
２７  括れ部
２８  リング部
３１  先端部
３２  テーパ部
３３  括れ部
３４  リング部
【図１】
2006141439.tif 000003
【図２】
2006141439.tif 000004
【図３】
2006141439.tif 000005